(57)【特許請求の範囲】
【請求項１】
傘の先端部を下方にした姿勢で前記傘を移動させる傘移動手段と、
前記傘の布地に接触するように対向して配置された吸水性を有する一対の吸水体と、
前記一対の吸水体を前記傘の移動方向またはその反対方向に移動させる吸水体移動手段と、
前記吸水体に吸収された水滴を絞り出す脱水手段と、
前記傘移動手段または前記吸水体移動手段を駆動制御する駆動制御手段と、
を備えることを特徴とする傘脱水装置。
【請求項２】
前記駆動制御手段は、前記傘の移動または前記一対の吸水体の移動が所定移動パターンになるように、前記傘移動手段または前記吸水体移動手段を駆動制御することを特徴とする請求項１に記載の傘脱水装置。
【請求項３】
前記駆動制御手段は、前記一対の吸水体の各々を互いに逆方向に移動するように前記吸水体移動手段を制御することを特徴とする請求項１に記載の傘脱水装置。
【請求項４】
前記駆動制御手段は、前記一対の吸水体の各々を互いに同方向に移動するように前記吸水体移動手段を制御することを特徴とする請求項１に記載の傘脱水装置。
【請求項５】
前記傘移動手段は、前記傘の先端部を挟み保持可能な一対の傘固定部材と、前記一対の傘固定部材を接近離反可能に移動させる傘固定部材移動手段と、を有することを特徴とする請求項１に記載の傘脱水装置。
【請求項６】
前記駆動制御手段は、前記傘移動手段によって前記傘の移動させる間に前記傘を所定角度だけ自転させるように、前記傘固定部材移動手段及び前記吸水体移動手段を制御することを特徴とする請求項５に記載の傘脱水装置。
【請求項７】
前記一対の吸水体は、前記傘の布地に接触するように基材から突出して形成された複数の突起体を有することを特徴とする請求項１に記載の傘脱水装置。
【請求項８】
前記突起体は、弾性材からなることを特徴とする請求項７に記載の傘脱水装置。
【請求項９】
前記突起体は、棒状の形状を有し、前記基材上にマトリックス状に配列されていることを特徴とする請求項７に記載の傘脱水装置。
【請求項１０】
前記一対の吸水体の各々は、ループ状に形成されており、前記傘の移動方向に沿って配設されたガイドローラによって回転案内されることを特徴とする請求項１に記載の傘脱水装置。
【請求項１１】
前記脱水手段は、前記一対の吸水体の各々が変形しながら通過可能に立設された水絞りローラを有することを特徴とする請求項１に記載の傘脱水装置。
【請求項１２】
前記傘および前記一対の吸水体から脱水された水滴を貯留する貯留槽を備えることを特徴とする請求項１に記載の傘脱水装置。
【発明の詳細な説明】
【０００１】
【発明の属する技術分野】
本発明は、傘脱水装置に係り、特に、濡れた傘を短時間で自動的に脱水する傘脱水装置に関する。
【０００２】
【従来の技術】
公共施設や大規模建造物などにおいては、降雨時に入場者が所持する濡れた傘から滴る水滴で施設内等の床が濡れるのを防止するために、例えば入口に傘を入れるためのビニール製の袋を用意して、傘からの滴による床濡れの防止を図っている。
【０００３】
しかし、濡れた傘をいちいち袋に入れる作業には時間がかかり、建物入口等が混雑するという不都合があるほか、その作業はきわめて面倒であるため用意した袋を使用しない入場者がいて、ビニール製の袋が有効に活用されないという問題がある。さらに、使用済みのビニール製の袋は散乱し易く、廃棄物として処理する上でも容易でないことから、回収及び処理に手間と費用がかかるという問題がある。
【０００４】
上記の問題点を考慮して、ファン装置を用いて濡れた傘から水滴を吸引し脱水する装置が特開昭５８−１５８４８３号公報において提案されている。また、脱水効率を高めることを目的として、特開平６−４２８６４号公報にはヒータで熱した熱風を傘体に吹き付けるようにした脱水装置が提案されている。
【０００５】
上記の公報記載の脱水装置は、ロート状に形成された傘受器に傘を置き、ファン装置で水滴を吸引することにより傘に付着した水滴を排除するように構成したものであり、ビニール製の袋を用意する必要がなく、従ってビニール製の袋の回収及び廃棄に要する手間等を省くことができるという利点がある。
【０００６】
【発明が解決しようとする課題】
前述した従来の脱水装置においては、ロート状の傘受け器につぼめた傘を置いた状態で傘に付着した水滴の吸引を行うものであるため、つぼめた傘の布地に形成されたひだの重なる面に付着している水滴についてはファン装置によっては充分には吸引されないという問題がある。
【０００７】
また、前述のような脱水装置においては、入場者は脱水装置に傘を装填した状態で脱水動作が終了するまでその場で待機する必要があるため、続けて多数の入場者が脱水装置を利用できるようにするためには、数多くの脱水装置を用意する必要があり、広いスペースが必要になる。また、人の流れの多い場所では脱水装置を利用することにより人の流れに滞りが生じやすいという問題もある。
【０００８】
そこで、本発明の目的は、上記の課題を解決するものであり、傘布地のひだの間に付着している水滴をも確実に脱水するとともに、水滴の脱水動作が利用者の歩行期間に短時間で完了し、利用者が滞ることのない傘脱水装置を提供することにある。
【０００９】
【課題を解決するための手段】
上記目的を達成するために、本発明の傘脱水装置は、傘の先端部を下方にした姿勢で前記傘を移動させる傘移動手段と、前記傘の布地に接触するように対向して配置された吸水性を有する一対の吸水体と、前記一対の吸水体を前記傘の移動方向またはその反対方向に移動させる吸水体移動手段と、前記吸水体に吸収された水滴を絞り出す脱水手段と、前記傘移動手段または前記吸水体移動手段を駆動制御する駆動制御手段と、を備えることを特徴とする。
【００１０】
また、前記駆動制御手段は、前記傘の移動または前記一対の吸水体の移動が所定移動パターンになるように、前記傘移動手段または前記吸水体移動手段を駆動制御することを特徴とする。
【００１１】
また、前記駆動制御手段は、前記一対の吸水体の各々を互いに逆方向に移動するように前記吸水体移動手段を制御することを特徴とする。
【００１２】
また、前記駆動制御手段は、前記一対の吸水体の各々を互いに同方向に移動するように前記吸水体移動手段を制御することを特徴とする。
【００１３】
また、前記傘移動手段は、前記傘の先端部を挟み保持可能な一対の傘固定部材と、前記一対の傘固定部材を接近離反可能に移動させる傘固定部材移動手段と、を有することを特徴とする。
【００１４】
また、前記駆動制御手段は、前記傘移動手段によって前記傘の移動させる間に前記傘を所定角度だけ自転させるように、前記傘固定部材移動手段及び前記吸水体移動手段を制御することを特徴とする。
【００１５】
また、前記一対の吸水体は、前記傘の布地に接触するように基材から突出して形成された複数の突起体を有することを特徴とする。
【００１６】
また、前記突起体は、弾性材からなることを特徴とする。
【００１７】
また、前記突起体は、棒状の形状を有し、前記基材上にマトリックス状に配列されていることを特徴とする。
【００１８】
また、前記一対の吸水体の各々は、ループ状に形成されており、前記傘の移動方向に沿って配設されたガイドローラによって回転案内されることを特徴とする。
【００１９】
また、前記脱水手段は、前記一対の吸水体の各々が変形しながら通過可能に立設された水絞りローラを有することを特徴とする。
【００２０】
また、前記傘および前記一対の吸水体から脱水された水滴を貯留する貯留槽を備えることを特徴とする。
【００２１】
上述の発明において、傘を先端部を下方にした姿勢で自動的に移動させ、吸水性を有する一対の吸水体を傘の布地に接触させて傘の移動方向またはその反対方向に移動させることにより、傘の布地に付着している水滴を吸水体に吸収し、吸水体に吸収された水分は脱水手段によって絞り出され、吸水板の吸収水分の飽和を防止し、脱水作業の継続を可能とする。
【００２２】
駆動制御手段によって、傘の移動または吸水体の移動に関して所望の所定移動パターンになるように、傘移動手段または吸水体移動手段を制御することにより、脱水作用が効率的に且つ確実に実行されるでき、また、傘脱水装置の設置場所や設置目的に応じて、脱水の完全性と脱水処理速度との間の調整を図ることが可能になる。
【００２３】
一対の吸水体の各々を互いに逆方向に移動させることにより、傘の移動に対する吸水体の相対移動速度を一対の吸水体の間で互いに異ならせることができる。
【００２４】
一対の吸水体の各々を互いに同方向に移動させることにより、吸水体を傘の各々の側部に同等に接触させることができる。
【００２５】
一対の傘固定部材を接近離反可能に移動させることにより、傘が自転しないように固定保持される状態と傘が自転可能に保持される状態とを設定することが可能になる。
【００２６】
傘が自転可能に保持される状態を所定の時間だけ設定することにより、一対の吸水体の移動速度を互いに異ならせることにより、傘の移動させる間に傘を所定角度だけ自転させることができる。
【００２７】
また、一対の吸水体は、傘の布地に接触するように基材から突出して形成された複数の突起体を有するので、吸水が効率的になるように突起体を傘の布地に接触でき、また傘の布地に当接する面積を大きくでき、吸水体による吸水効率を向上させることができる。
【００２８】
また、突起体は、弾性材からなるので、突起体は傘の移動に追随して折れ曲がりながら傘の布地部分を押圧接触し付着した水を吸水するとともに、ある程度折れ曲がった段階で逆方向に跳ね返されることによって、傘の布地部分の他の部分に付着した水を叩き落とすことができ、脱水効率の向上を図ることができる。
【００２９】
また、突起体は、棒状の形状を有し基材上にマトリックス状に配列されているので、傘の布地部分にムラ無く確実に接触でき、吸水体による吸水効率を向上させることができる。
【００３０】
また、一対の吸水体の各々はループ状に形成され、傘の移動方向に沿って配設されたガイドローラによって回転案内されるので、吸水体の回転方向や回転方向を制御することにより、吸水体の容易に種々の移動パターンを設定することが可能になる。
【００３１】
また、脱水手段は、一対の吸水体の各々が変形しながら通過可能に立設された水絞りローラを有するので、脱水手段を簡易に構成することができる。
【００３２】
また、脱水された水分を貯留槽に貯留することにより、任意の場所への設置を可能とする。
【００３３】
【発明の実施の形態】
本発明の傘脱水装置の第１の実施の形態及び第２の実施の形態を以下に図面により詳細に説明する。
【００３４】
まず、図１乃至図５を参照して、本発明の傘脱水装置の第１の実施の形態について説明する。図１は本実施例の傘脱水装置について断面をもって示す正面図であり、図２は、図１のＡ矢視の側面図であり、図３はＢ矢視の平面図である。また、図４は、傘を保持する傘支持台の詳細を示す図であり、図５は、傘保持台において傘が保持されている状態を示す図である。
【００３５】
図１に示すように本実施例の傘脱水装置１は、主として傘１３を保持して水平方向に移動させる傘移動手段３と、傘１３に付着している水滴を除去する吸水板９と、脱水した雨滴を貯留する貯留槽１１とから構成され、これらの機構をカバー２で覆うようにした構造でなる。
【００３６】
傘移動手段３は、主に図１及び図２に示すように、傘１３を保持する傘保持台５と、傘保持台５を水平方向に移動させる傘移動機構部４とから構成される。また、傘保持台５は透穴を有する複数の直線案内軸受４２を下部に備えるテーブル４１の上に搭載され、傘移動機構部４は、直線案内軸受４２の透穴を貫通し、テーブル４１の水平の移動方向に延在する一対のガイド軸４３を備え、一対のガイド軸４３の間にはボールねじ４４が配置されており、ボールねじ４４のナットはテーブル４１側に固定されており、ボールねじ４４を回転するとテーブル４１が移動する機構を構成している。
【００３７】
また、図３に示すように、ボールねじ４４の一端にはタイミングプーリー４５が固定され、近接して配置されたモーター４８の出力軸に取り付けられたタイミングプーリー４７とタイミングベルト４６によって動力伝達が可能に構成される。つまり、傘保持台５は、テーブル４１の複数個の直線案内軸受４２と一対のガイド軸４３とによって移動可能に構成され、モータ４８によりボールねじ４４へ動力が伝達されることにより移動が制御される。
【００３８】
傘保持台５は、主に図４に示すように、テーブル４１上に設けられた基台５１と、基台５１の上に設けられた一対の軸受台５２と、軸受台５２の先端部に軸５３によって回動可能に支持された傘保持アームを備える一対の傘固定アーム５４と、一対の傘固定アーム５４をスプリング５５によって傘保持アーム同士が互いに接近する方向に付勢するように形成されるとともに、基台５１の中央部には傘１３の石突きを収容する石突き収容筒５６が設けられる。
【００３９】
一対の傘固定アーム５４の傘保持アームには、図４（ａ）に示すように、移動方向の前部側及び後部側、かつ近接する両角部に斜辺５７、５８を設ける。傘保持アームはその高さが、図１に示すように、傘保持台５の始点及び終点に対応するところの入口側に設けられた入口スタッド７および出口側に設けられた出口スタッド８の高さと一致しており、傘保持アームに設けた斜辺５７、５８は、傘保持台５の両移動終端部においてそれぞれのスタッド７、８に当接することにより、傘固定アーム５４は互いに離反する方向に回動させられる。
【００４０】
吸水板９は吸水性を備えるとともに、外力によって変型した際に直ちに元の形状に復元する弾性および柔軟性を備える材質、所謂弾性体で形成される。また図１〜３に示すように、吸水板９には表面に多数個の突起９１を設けられる。この突起９１は傘１３に接触した際に傘１３に過大な負荷がかからないような形状が選択される。また、本実施例の吸水板９としては、複数の突起がマトリックス状に配置されている形状の例を示しているが、傘１３に過度の負荷を与えず、かつ傘の布地面に対する接触面積を可能な限り大きくできる構造であればこれに限るものではない。
【００４１】
２枚の吸水板９は、主に図３に示すように、突起９１を対向させた姿勢で、かつそれぞれ吸水板基板９２に固定された状態で２本のスライドレール９３によって傘保持台５の移動方向と同じ方向に移動可能に支持されており、スライドレール９３は支柱９４に固定されている。
【００４２】
吸水板９の移動は、図３に示すように、駆動モーター９８による駆動軸９５に固定された一対の駆動アーム９６、一対の連接棒９７および一対のスライドレール９３によってクランク・スライダ機構を形成しており、駆動モーター９８を運転することにより、吸水板９は水平方向に往復移動を行う。
【００４３】
さらに、一対の駆動アーム９６は駆動軸９５に固定する位置を１８０°ずれた角度にしてあるために、駆動アーム９６の位相は１８０°ずれており、その結果吸水板９の移動方向は常に互いに反対方向となる。
【００４４】
本実施例においては、傘の水滴を吸収した弾性体からの脱水手段としてテーブル４１上に傘保持台５と一体に固定された一対の脱水ローラー１０を備える。一対の脱水ローラー１０が垂直方向の軸を中心に回転可能に支持されてテーブル４１に固定されており、脱水ローラー１０はそれぞれ吸水板９の突起９１に圧接するように位置が選択されて固定される。脱水ローラー１０は傘保持台５の後方に一体に固定されており傘保持台５の移動とともに移動する。
【００４５】
脱水手段はかならずしもローラーである必要はなく、吸水板９に当接して吸水板９から水滴を絞りだせるものであればよい。
【００４６】
本実施例においては、基板１２の下に貯留槽１１が配置される。基板１２には脱水された雨滴が貯留槽１１にスムースに流れ込むように窓を適宜設けておく。
【００４７】
次に、本実施例の傘脱水装置１の動作について説明する。初期状態では傘保持台５は図１に示すように右端の位置で待機している。この状態では、傘保持台５における傘固定アーム５４の傘保持アームの入口側の斜辺５７は入口スタッド７と当接しており、傘固定アーム５４は開いている。いま入場者が雨に濡れた傘１３の先端部を傘保持台５に差し込むと、図示しないセンサーにより傘１３が傘保持台５に挿入されたことを感知して傘移動機構部４が起動し、傘保持台５が出口方向に向かって移動を開始する。傘保持台５の入口側の斜辺５７が入口スタッド７から離れると傘保持アームが閉じて、図５に示すように傘１３の石突き部が石突き収容筒５６に収まった姿勢で傘固定アーム５４の傘保持アームが傘３の先端部をしっかりと固定する。
【００４８】
傘保持台５が出口方向に移動を開始するのと同時に吸水板を駆動する駆動モータ９８が駆動され、一対の吸水板９は水平方向の往復運動を開始する。吸水板９は、傘１３が出口に到達するまでの間に多数回の往復移動がなされるように移動速度が設定されている。
【００４９】
傘１３が吸水板９のある領域に入ると、傘１３の布地の部分に吸水板９の突起９１が変形しながら接触し、傘１３は突起９１により揉まれるために、傘１３の布地についた水滴の一部は突起９１に吸収され、あるいははじき飛ばされる。その結果、傘１３の布地についた水滴が効率良く脱水される。
【００５０】
本実施例では一対の吸水板９はその移動方向が互いに反対になるように構成されている。雨に濡れた傘１３は畳まれた状態では、襞状になっている布地どうしが密着しているために、襞の間の水滴を脱水するのが困難であるが、吸水板９を互いに反対方向に動かすことにより、密着している襞を解放して傘１３の布地が吸水板９に均等に当たる効果がある。
【００５１】
また、傘保持台５が固定されているテーブル４１に弾性体を絞る脱水ローラー１０が固定されており、傘保持台５が移動するのにともない、脱水ローラー１０も出口側に向かって移動する結果、雨滴が付着した傘１３から吸水板９に吸着された雨滴を時間を置かずに吸水板９から絞り出すことができる。
【００５２】
傘１３が図１の左端の位置に到達すると、駆動モーターが制御され、傘移動機構部４が停止し、傘保持台５をその位置に停止し、同時に吸水板９の往復移動も停止する。この位置では傘保持台５の出口側の斜辺５８が出口スタッド８に当接する結果、傘固定アーム５４が開いて傘１３の固定が解除されるので、脱水作業の終了した傘１３は容易に傘保持台５から引き抜くことができる。傘１３が引き抜かれたことを図示しないセンサーが感知すると傘移動機構部４が再度起動し、傘保持台５を入口側の初期状態の定位置に復帰させて待機させる。
【００５３】
入場者は入口側で本実施例の傘脱水装置に傘１３を挿入した後に、数歩進んで出口側で傘１３を引き抜くだけで傘１３に付着していた水滴が脱水される。したがって、入場者は歩行期間の短時間に傘の脱水が完了し従来のように建物の入口で入場者が滞留するようなことはない。
【００５４】
本実施例では、傘１３から除去された水滴は下方の貯留槽１１に溜めるように構成している。多くの場合、傘脱水装置は建物内部等へ設置することから、貯留槽を備えることは好適である。つまり、貯留槽１１を設けることにより、所定量の水滴が溜まったら、図示しないドレーンを開いて外部に排水するか、あるいはポンプなどで排水溝等に吸い出すようにすることで汎用性の高い傘脱水装置を実現することができる。
【００５５】
なお、本発明においては、貯留槽１１の設置は必ずしも必要とするものではなく、傘脱水装置の設置場所等に応じて、傘脱水装置から直接下部に排水することも、配管を使用して排水溝等に排水することにより建物等の床を濡らすことを防止するように構成することもできることは明らかである。
【００５６】
また、本実施例では、吸水板９の移動方向は傘１３の移動方向と同じく水平方向とした例を示しているが、傘１３の移動方向に対して若干傾けることによって、突起９１が傘１３に当たる位置を変化させるように構成すること、つまり傘の移動方向と略同じ方向とする等の構成とすることができる。更に、傘の移動方向を水平方向から傾けるように構成することもできる。要するに傘１３の布地に吸水板９の突起９１を満遍なく接触するような相互の移動態様の変更及び傘脱水装置の設置環境、使用態様等に応じた変更が可能である。
【００５７】
また、一対の駆動軸９６に固定する駆動アーム９６の角度を１８０°ずれた関係にして吸水板９の移動方向を常に互いに反対方向となるようにした例を示しているが、この角度は０°〜１８０°の範囲で適宜変更することができ、一対の駆動軸９６を同一方向に移動するように構成することもできる。
【００５８】
また、一対の吸水板９の駆動を１個のモーターによっているが、それぞれ個別に駆動してもよい。さらに、傘１３を保持する傘保持台５の傘１３をチャックする機構の開閉を入口および出口のスタッドによっているが、モータあるいはエアーシリンダー等のアクチュエーターを使用してもよい。
【００５９】
また、前記実施例では、脱水ローラーを傘保持台の後方の位置に設置した例を示しているが、傘の脱水動作時に傘の移動に先行して脱水ローラーが移動し、脱水直後の吸水板により傘の脱水が行われるように、脱水ローラーを傘保持台の前方側に設置する構成とすることが可能である。
【００６０】
次に、本発明の傘脱水装置の第２の実施の形態について図６乃至図１４を参照して説明する。
【００６１】
図６は本実施形態の傘脱水装置について断面をもって示す正面図であり、図７は、図１のＡＡ矢視の側面図であり、図８はＢＢ矢視の平面図である。また、図９及び図１０は、傘を移動保持する傘移動手段の詳細を示す図である。
【００６２】
図６に示すように本実施形態の傘脱水装置１０１は、傘１３の先端部を下方にした姿勢で傘１３を移動させる傘移動手段１０３と、傘１３の布地に接触するように対向して配置された吸水性を有する一対の吸水ベルト１０９と、一対の吸水ベルト１０９を傘１３の移動方向またはその反対方向に移動させる吸水ベルト移動手段１１０と、傘１３に付着している水滴を除去する脱水手段１０８と、傘移動手段１０３または吸水ベルト移動手段１１０を駆動制御する駆動制御手段１１２と、脱水した雨滴を貯留する貯留槽１１１とから構成され、これらの機構を覆うカバー１０２とを備えている。駆動制御手段１１２は、傘１３の移動または一対の吸水ベルト１０９の移動が所定移動パターンになるように、傘移動手段１０３または吸水ベルト移動手段１１０を駆動制御する。
【００６３】
傘移動手段１０３は、図６及び図７に示すように、傘１３を保持する傘保持機構部１０５と、傘保持機構部１０５を水平方向に移動させる傘移動機構部１０４とから構成される。
【００６４】
傘移動機構部１０４は、水平の移動方向に延在する一対のガイド軸１４３と、一対のガイド軸１４３の間に配設されたボールねじ１４４と、ボールねじ１４４の一端に固定されたタイミングプーリー１４５と、傘移動用モーター１４８と、傘移動用モーター１４８の出力軸に取り付けられたタイミングプーリー１４７とを備えている。ボールねじ１４４が回転するとテーブル１４１が移動する。
【００６５】
次に、図９及び図１０を参照して、傘保持機構部１０５について説明する。  傘保持機構部１０５は、テーブル１４１の上に搭載されており、テーブル１４１上に設けられた一対のガイド軸１５１と、互いに開閉移動可能に一対のガイド軸１５１に支持された一対の傘固定治具１５２と、一対のガイド軸１５１の間に配設されたボールねじ１５３と、ボールねじ１５３の上方に一対の傘固定治具１５２の開閉移動する方向に延在する断面Ｕ字状の傘受け部１５４と、ボールねじ１５３に連結されたチェーンスプロケット１５５と、傘固定用モータ１５６と、傘固定用モータ１５６の出力軸に連結されたチェーンスプロケット１５７と、チェーンスプロケット１５５とチェーンスプロケット１５７に懸けられたチェーン１５８とを備えている。
【００６６】
一対の傘固定治具１５２の各々の中央には半円状の切り込み部１５２ａが形成されており、傘１３の先端部が傘受け部１５４に当接した状態で切り込み部１５２ａに挟まれ、傘１３が固定保持される。一対の傘固定治具１５２は傘固定用モータ１５６によってボールねじ１５３を介して移動駆動され、傘固定用モータ１５６の回転方向を選択することによって接近移動または離反移動が行われる。
【００６７】
次に、吸水ベルト１０９について説明する。
吸水ベルト１０９は吸水性を備えるとともに、外力によって変型した際に直ちに元の形状に復元する弾性および柔軟性を備える材質、例えばウレタン材等の弾性体で形成されている。また、各々の吸水ベルト１０９は、図８に示すようにループ状に形成されている。
【００６８】
また図１２に示すように、吸水ベルト１０９は、基材２０１と基材２０１の表面から突出して形成された多数個の棒状の突起体２０２とを有する。多数個の突起体２０２はマトリックス状に配列されている。一つの突起体２０２の大きさは、例えば約２ｃｍ２の断面積と約５ｃｍの長さを有する。隣接する突起体２０２との間の間隔は、例えば約５ｃｍである。
【００６９】
一方の吸水ベルト１０９の突起体２０２の先端と対向する他方の吸水ベルト１０９の突起体２０２の先端との間の間隔は、傘１３の布地部分の太さに比べて狭く設定されている。従って、対向する吸水ベルト１０９の突起体２０２が傘１３の布地部分の両側部を通過する際に、あるいは傘１３の布地部分が対向する吸水ベルト１０９の突起体２０２の間を通過する際に、突起体２０２は傘１３に接触し傘１３の移動方向に追随して折れ曲がり、ある程度折れ曲がった段階で、その弾性によって逆方向に跳ね返される。吸水ベルト１０９の突起体２０２は傘１３の移動に追随して折れ曲がりながら傘１３の布地部分に押圧接触し、付着した水が突起体２０２に吸水される。また、吸水ベルト１０９の突起体２０２は、ある程度折れ曲がった段階で逆方向に跳ね返されることによって、傘１３の他の布地部分に付着した水を叩き落とすように作用する。なお、突起体２０２は、逆方向に跳ね返されることによって、傘１３の布地部分に接触しそこに付着する水を吸水するようにも作用する。
【００７０】
なお、本実施例の吸水ベルト１０９としては、突起体２０２がマトリックス状に配列されている例を示しているが、傘１３に過度の負荷を与えず、かつ傘の布地面に対する接触面積を可能な限り大きくできる構造であればこれに限るものではない。また、例えば、基材２０１を布材等の非弾性材で形成し、突起体２０２のみを弾性材で形成することも可能である。
【００７１】
次に、吸水ベルト移動手段１１０について説明する。
傘１３の移動経路の両側には、前部のガイドローラ２１１と、中間部のガイドローラ２１２と、後部のガイドローラ２１３が立設されている。ガイドローラ２１１、２１２はそれらの上下に配設された軸受けによって自由回転可能に支持されている。ガイドローラ２１３は、その上下に配設された軸受けによって回転駆動可能に支持されており、吸水ベルト１０９を回転駆動させるためのベルト駆動ローラとして機能する。
【００７２】
ループ状に形成された吸水ベルト１０９は、ガイドローラ２１１、２１２、２１３によって回転案内可能に装着されている。各々のガイドローラ２１３の近傍には吸水ベルト用モータ２１４が配設されている。ガイドローラ２１３の下部に固着されたスプロケットと吸水ベルト用モータ２１４の出力軸に固着されたスプロケットとの間には、駆動チェーン２１５が装架されている。吸水ベルト用モータ２１４によって駆動チェーン２１５が駆動されガイドローラ２１３が回転駆動され、吸水ベルト１０９がガイドローラ２１１、２１２、２１３によって回転案内される。
【００７３】
各々の吸水ベルト用モータ２１４は駆動制御手段１１２によって互いに独立に駆動制御され、各々の吸水ベルト１０９の移動方向や移動速度は互いに独立に設定することが可能である。
【００７４】
次に、脱水手段１０８について説明する。
ガイドローラ２１１の近傍には水絞りローラ２１７が配設されている。水絞りローラ２１７は、ガイドローラ２１１、２１２と同様に、その上下に配設された軸受けによって自由回転可能に支持されている。図１１及び図１２に示すように、ガイドローラ２１１と水絞りローラ２１７との間隔は、突起体２０２が折れ曲がり変形して初めて通過可能なように狭く設定されている。吸水ベルト１０９がガイドローラ２１１と水絞りローラ２１７との間に形成された隙間を通過することによって、吸水ベルト１０９の突起体２０２に吸水された水はガイドローラ２１１の側面と水絞りローラ２１７の側面との間で絞り出され、絞り出された雨滴は貯留槽１１１に貯留される。なお、ガイドローラ２１１と水絞りローラ２１７との間隔は基材２０１の厚さよりもさらに狭く設定し、基材２０１に吸水された水を脱水することも可能である。
【００７５】
次に、駆動制御手段１１２について説明する。
駆動制御手段１１２は、図６に示すように装置の下部空間に配設されており、傘１３の移動及び一対の吸水ベルト１０９の移動が所定移動パターンになるように、時系列で定められた所定のプログラムに従って、傘移動用モーター１４８、傘固定用モータ１５６及び吸水ベルト用モータ２１４を制御する。ここで、複数の所定のプログラムを予め準備しておき、カバー１０２上に設けられた外部スイッチによって、脱水装置装置の設置場所や使用目的等に応じて選択できるようにしてもよい。
【００７６】
次に、傘１３の移動及び一対の吸水ベルト１０９の移動の所定移動パターンの一例を図１３及び図１４を参照して説明する。ここで、図１４に示すように、傘１３は移動のスタート地点から移動の終点に向かって移動する。左側にある吸水ベルト１０９を吸水ベルト（１）とし右側にある吸水ベルト１０９を吸水ベルト（２）とする。
【００７７】
図１３において、ＳＴ１の前の工程において、一対の傘固定治具１５２を開いた状態で傘１３を傘固定治具１５２にセットし、その後装置のスタートボタンを押すと、傘固定用モータ１５６が作動し傘固定治具１５２が閉じ傘１３の先端部が固定保持される。
【００７８】
次に、ＳＴ１では、傘移動用モーター１４８が駆動され傘１３の移動が開始し、一方の吸水ベルト用モータ２１４によって吸水ベルト（１）が右（反時計方向）回転し、他方の吸水ベルト用モータ２１４によって吸水ベルト（２）が左（時計方向）回転する。吸水ベルト（１）は右回転し傘１３の移動方向と同方向に移動するので、吸水ベルト（１）の傘１３に対する相対速度は小さくなり、また、吸水ベルト（２）は左回転し傘１３の移動方向と逆方向に移動するので、吸水ベルト（２）の傘１３に対する相対速度は大きくなる。このように、吸水ベルト（１）と吸水ベルト（２）は、互いに逆方向に移動するので、傘１３の布地部分の一方の側部と対向する他方の側部とにおいて異なった速度で接触移動する。
【００７９】
前述したように、対向する吸水ベルト（１）、（２）の突起体２０２が傘１３の布地部分の両側を通過する際に、突起体２０２は傘１３に接触し傘１３の移動方向に追随して折れ曲がり、ある程度折れ曲がった段階で、その弾性によって逆方向に跳ね返される。各々の突起体２０２は、傘１３に対して相対移動に間に渡って、このような動作を繰り返す。そして、突起体２０２は傘１３の移動に追随して折れ曲がりながら傘１３の布地部分を押圧接触し付着した水を吸水するとともに、ある程度折れ曲がった段階で逆方向に跳ね返されることによって、傘１３の布地部分の他の部分に付着した水を叩き落とす。
【００８０】
なお、吸水ベルト（１）と吸水ベルト（２）とは、傘１３に対する異なる相対速度を有するので、突起体２０２の繰り返し動作の頻度は吸水ベルト（１）にある突起体２０２と吸水ベルト（２）にある突起体２０２とで異なる。この結果、傘１３の布地部分の一方の側部と対向する他方の側部とで異なった複雑なパターンで、吸水ベルト（１）と吸水ベルト（２）によって吸水行為が行われる。これによって、傘１３の布地部分に付着した水は、布地部分における水の付着位置や付着強度等が異なることによって生じる種々の態様においても確実に脱水され、つぼめた傘１３の布地のひだの重なる面に付着した水滴をも確実に脱水することができる。
【００８１】
次に、ＳＴ２では、吸水ベルト（１）を逆転して左回転し、吸水ベルト（２）を逆転し右回転する。これによって、ＳＴ１において脱水対象としていた同一の布地部分に対し逆方向から脱水することになり、つぼめた傘１３の布地のひだの重なる面をめくり返し付着した水滴をも確実に脱水することができる。
【００８２】
さらに、ＳＴ２では、傘固定用モータ１５６を作動させて傘固定治具１５２を所定の短時間だけ開く。このとき、吸水ベルト（１）は左回転し、吸水ベルト（２）は右回転し互いに逆方向に回転しているので、傘１３は反時計方向に自転するように突起体２０２から力を受ける。傘固定治具１５２を開く時間を選択することにより、傘１３を例えば約９０度の角度だけ反時計方向に自転させることができる。
【００８３】
次に、ＳＴ３において、傘１３を例えば約９０度の角度だけ自転させた時点で傘固定治具１５２を閉じ傘１３を固定保持する。また、吸水ベルト（１）を逆転して右回転し、吸水ベルト（２）は逆転して左回転する。ＳＴ３においては、傘１３が例えば約９０度の角度だけ自転しているので、傘１３の布地部分の異なる部分の脱水が行われる。
【００８４】
次に、ＳＴ４において、ＳＴ２における場合と同様に傘固定用モータ１５６を作動させて傘固定治具１５２を所定の短時間だけ開く。吸水ベルト（１）は右回転し、吸水ベルト（２）は左回転し互いに逆方向に回転しているので、傘１３は時計方向に自転するように突起体２０２から力を受ける。傘固定治具１５２を開く時間を選択することにより、傘１３を例えば約１８０度の角度だけ時計方向に自転させる。
【００８５】
次に、ＳＴ５において、ＳＴ３における場合と同様に、傘１３を例えば約１８０度の角度だけ自転させた時点で傘固定治具１５２を閉じ傘１３を固定保持する。また、吸水ベルト（１）を逆転して右回転し、吸水ベルト（２）は逆転して左回転する。ＳＴ５においては、ＳＴ１やＳＴ３における場合とは異なる布地部分の脱水が行われる。
【００８６】
次に、ＳＴ６において、傘１３が終点に到達したことを検知して一連の脱水工程が終了したことを認知し、傘固定治具１５２が開き、次に、利用者が傘１３を取り出したことを検知して、傘固定治具１５２をスタート地点に戻し、次の利用者の利用を待つ。
【００８７】
図１３及び図１４に示すＳＴ乃至ＳＴ６によれば、吸水ベルト（１）、（２）を移動中の傘１３の両側から当接して移動し、布地の水滴を吸収するようにしているので、傘に付着した雨滴を極めて短時間に吸収でき、かつ布地のひだの間に付着している雨滴でも残すことなく吸収することができ、高速で確実な脱水を行うことができる。
【００８８】
なお、上述したＳＴ１乃至ＳＴ６における傘１３の移動パターンは一例であり、本発明では上述の移動パターンに限らず種々のパターンが可能である。例えば、ＳＴ２乃至ＳＴ５の工程を省略したり、あるいはこれらの一部のみを実行することも可能である。また、ＳＴ２乃至ＳＴ５に類似した他の工程をさらに加えることも可能である。
【００８９】
また、傘１３の移動速度と、吸水ベルト（１）及び吸水ベルト（２）の移動速度との間の相対速度傘１３の移動速度と、吸水ベルト（１）及び吸水ベルト（２）の移動速度との間の相対速度は、種々に設定することが可能であり、脱水装置装置の設置場所や使用目的等に応じて、脱水作用が最も効率的に且つ確実に実行されるように設定するようにすればよい。
【００９０】
また、脱水の完全性と脱水処理速度とは、脱水の完全性を求めれば脱水処理速度が遅くなるというように互いに相反する面がある。どちらを優先するかは、複数の所定のプログラムを予め駆動制御手段１１２に準備しておき、脱水装置装置の設置場所や使用目的等に応じて選択できるようにすればよい。例えば、百貨店では脱水の完全性を優先させ、駅等の混雑する場所では脱水処理速度を優先させるようにしてもよい。
【００９１】
以上、本発明の第１の実施形態と第２の実施形態について説明したが、これらの実施形態によれば、以下のような効果を奏することができる。
【００９２】
降雨時に濡れた傘から滴る水滴で建物の床等が濡れるのを防止するために、従来、例えば降雨時に入口に傘を入れるためのビニール製の袋を用意することや、ファン装置を用いて濡れた傘から水滴を吸引し脱水する装置を設置することで対応している。しかし、上記の方法ではいずれも入口で入場者が立ち止まって対応するために、人の流れの多い場所では、脱水装置の利用のために人の流れに滞りが生じるという問題点があった。また、ファン装置を用いて濡れた傘から水滴を吸引し脱水する装置やその改良装置では、つぼめた傘布地のひだの重なる面の水滴が充分にファン装置によって吸引されないという問題があった。
【００９３】
これに対し、本発明の第１の実施形態と第２の実施形態の傘脱水装置によれば、上述の問題を解決することができる。すなわち、傘は傘移動手段に保持された状態で自動的に人の歩行方向に移動しながら傘の脱水を行うように構成されているために建物の入口に入場者が滞留することをなくすることができる。
【００９４】
また、吸水体を移動中の傘の両側から当接して移動し、布地の水滴を吸収するようにしているので、傘に付着した雨滴が極めて短時間に吸収でき、かつ布地のひだの間に付着している雨滴でも残すことなく吸収することができ、高速で確実な脱水を行うことができる。
【００９５】
また、吸水体は複数の突起体を有するので、対向する一対の吸水体の突起体が傘の布地部分の両側を通過する際に、突起体は傘の移動に追随して折れ曲がりながら傘の布地部分を押圧接触し付着した水を吸水するとともに、ある程度折れ曲がった段階で逆方向に跳ね返されることによって、傘の布地部分の他の部分に付着した水を叩き落とすことができ、脱水効率の向上を図ることができる。
【００９６】
また、脱水された水滴を貯蔵する貯蔵槽を備えることにより、建物等の床を雨傘に付着した雨滴で濡らすのを防ぐことができ、さらに建物の入口において入場者が滞ることを回避することができる。脱水された水分を貯留槽に貯留することにより、任意の場所への設置を可能とする。
【００９７】
【発明の効果】
以上説明したように、本発明の構成によれば、吸水体を移動中の傘の両側から当接して移動し、布地の水滴を吸収するようにしているので、傘に付着した雨滴が極めて短時間に吸収でき、かつ布地のひだの間に付着している雨滴でも残すことなく吸収することができ、高速で確実な脱水を行うことができる。
【図面の簡単な説明】
【図１】本発明の傘脱水装置の第１の実施形態を断面でもって示す正面図である。
【図２】図１の傘脱水装置をＡ矢印方向から見た側面図である。
【図３】図１の傘脱水装置をＢ矢印方向から見た平面図である。
【図４】第１の実施形態の傘脱水装置の傘保持機構部の詳細を示す図である。
【図５】傘保持機構部に傘が保持された状態を示す図である。
【図６】本発明の傘脱水装置の第２の実施形態を断面でもって示す正面図である。
【図７】図６の傘脱水装置をＡＡ矢印方向から見た側面図である。
【図８】図６の傘脱水装置をＢＢ矢印方向から見た平面図である。
【図９】本発明の傘脱水装置の第２の実施形態におけるの傘保持機構部の詳細を示す平面である。
【図１０】本発明の傘脱水装置の第２の実施形態における傘保持機構部の詳細を示す正面図である。
【図１１】本発明の傘脱水装置の第２の実施形態における脱水手段を示すの正面図である。
【図１２】本発明の傘脱水装置の第２の実施形態における脱水手段を示すの斜視図である。
【図１３】脱水工程を示すフローチャト図である。
【図１４】図１３に対応する脱水工程と傘の位置との関係を示す図である。
【符号の説明】
１  傘脱水装置
２  カバー
３  傘移動手段
４  傘移動機構部
５  傘保持機構部
９  吸水板
１０  脱水ローラー
１１  貯留槽
１３  傘
９８  吸水板駆動モーター
１０１  傘脱水装置
１０２  カバー
１０３  傘移動手段
１０４  傘移動機構部
１０５  傘保持機構部
１０８  脱水手段
１０９  吸水ベルト
１１０  吸水ベルト移動手段
１１１  貯水糟
１１２  駆動制御手段
１５２  傘固定治具
２０２  突起体
２１１，２１２、２１３  ガイドローラ
２１７  水絞りローラ
【図１】
0003616001.tif 000002
【図２】
0003616001.tif 000003
【図３】
0003616001.tif 000004
【図４】
0003616001.tif 000005
【図５】
0003616001.tif 000006
【図６】
0003616001.tif 000007
【図７】
0003616001.tif 000008
【図８】
0003616001.tif 000009
【図９】
0003616001.tif 000010
【図１０】
0003616001.tif 000011
【図１１】
0003616001.tif 000012
【図１２】
0003616001.tif 000013
【図１３】
0003616001.tif 000014
【図１４】
0003616001.tif 000015